(57)【要約】【課題】電気的操作により電気錠を施解錠した場合でも利用者が最終的な操作内容を確実に認識できる。【解決手段】電気錠システム１は、電気錠３３の施錠又は解錠を指示するための非接触キー２を電気錠装置３の通信可能領域に近接させ、非接触キー２と電気錠装置３との間で非接触通信を行ったときに、電気錠装置３が非接触キー２から取得した認証情報を正常認証すると電気錠３３を施錠又は解錠する。非接触キー２は、電気錠装置３との間の非接触通信による電気錠装置３からの指令に基づき、非接触キー２を用いた最終的な操作内容を電気錠３３の施錠又は解錠に連動して識別表示する表示部２４を備える。【選択図】図１
2012087496.tif 000002
【特許請求の範囲】
【請求項１】
電気錠の施錠又は解錠を指示するための非接触キーを通信可能領域に近接させて電磁誘導により前記非接触キーを起動させ、前記非接触キーとの間で非接触通信を行って該非接触キーから取得した認証情報を正常認証したときに前記電気錠を施錠又は解錠する電気錠装置を備えた電気錠システムであって、
前記非接触キーは、前記電気錠装置との間の非接触通信による該電気錠装置からの指令に基づき、前記非接触キーを用いた最終的な操作内容を前記電気錠の施錠又は解錠に連動して識別表示する表示部を備えたことを特徴とする電気錠システム。
【請求項２】
前記表示部は、無給電状態でも前記操作内容の表示を保持するコレステリック液晶表示器からなることを特徴とする請求項１記載の電気錠システム。
【発明の詳細な説明】
【技術分野】
【０００１】
本発明は、例えば住戸玄関などの扉に採用され、無線通信技術を利用したＩＤタグなどの非接触キーを用いた電気的操作により錠前を施錠又は解錠する電気錠システムに関するものである。
【背景技術】
【０００２】
例えば住戸玄関などの扉に設けられるシリンダー錠の鍵穴に鍵を差し込んで回すことでシリンダー錠を施錠又は解錠する場合、利用者は、鍵による最終的な操作内容が施錠操作なのか解錠操作なのかを認識することができなかった。
【０００３】
そこで、上記問題を解決するための施解錠確認装置として、下記特許文献１に開示されるものが知られている。図３に示すように、特許文献１の施解錠確認装置を構成するシリンダー錠５１は、鍵５２の回動方向に沿った位置に施錠のための施錠エリアＺ１と解錠のための解錠エリアＺ２が設けられ、鍵５２が施錠エリアＺ１に回動したことを検知するための施錠検知部５３と、鍵５２が解錠エリアＺ２に回動したことを検知するための解錠検知部５４と、施錠又は解錠の状態の相違に応じて異なる電圧の状態信号を鍵５２に電磁誘導送信するための送信部５５を備えている。また、鍵５２には、シリンダー錠５１の送信部５５から送信される状態信号を電磁誘導受信するための受信部５６と、受信部５６にて受信される状態信号をもとにシリンダー錠５１の施錠又は解錠の状態を判定するための状態判定部５７と、状態判定部５７の判定結果を記憶するための記憶部５８と、状態判定部５７の判定結果を表示するための表示部５９と、鍵５２の動作電源が蓄電される電源部６０とを備えている。これにより、利用者は、鍵５２の表示部５９の表示を見て最終的な操作内容（施錠操作／解錠操作）を認識していた。
【先行技術文献】
【特許文献】
【０００４】
【特許文献１】特開２００９−１０８６２１号公報
【発明の概要】
【発明が解決しようとする課題】
【０００５】
上述した特許文献１に開示される施解錠確認装置では、鍵５２をシリンダー錠５１の鍵穴に差し込んで回すという機械的操作がなされると、鍵５２の回動方向に沿った位置に設けられる施錠エリアを施錠検知部５３で検知又は解錠エリアを解錠検知部５４で検知し、この検知による施錠又は解錠の状態の相違に応じて異なる電圧の状態信号を鍵５２に電磁誘導送信させている。このため、鍵５２に代えてＩＤタグなどの非接触キーによる電気的操作で錠前を施錠又は解錠する電気錠システムにより施錠操作又は解錠操作を行った場合には、操作内容を鍵５２の表示部５９に反映させることができなかった。
【０００６】
また、特許文献１に開示される施解錠確認装置では、鍵５２に電源部６０を備えているので、鍵５２自体が大きくなり、利用者が所持するには鍵５２自体がかさばるという問題があった。しかも、鍵５２の表示部５９は、鍵５２自体が備えた電源部６０に蓄積される動作電源によって駆動されるので、電源部６０に蓄積された動作電源が断たれた場合には、表示部５９に表示されている操作内容そのものが消えてしまったり、表示部５９に操作内容すら表示できないという問題があった。
【０００７】
そこで、本発明は上記問題点に鑑みてなされたものであり、電気的操作により電気錠を施解錠した場合でも利用者が最終的な操作内容を確実に認識することができる電気錠システムを提供することを目的とするものである。
【課題を解決するための手段】
【０００８】
上記した目的を達成するために、請求項１に記載された電気錠システムは、電気錠の施錠又は解錠を指示するための非接触キーを通信可能領域に近接させて電磁誘導により前記非接触キーを起動させ、前記非接触キーとの間で非接触通信を行って該非接触キーから取得した認証情報を正常認証したときに前記電気錠を施錠又は解錠する電気錠装置を備えた電気錠システムであって、
前記非接触キーは、前記電気錠装置との間の非接触通信による該電気錠装置からの指令に基づき、前記非接触キーを用いた最終的な操作内容を前記電気錠の施錠又は解錠に連動して識別表示する表示部を備えたことを特徴とする。
【０００９】
請求項２に記載された電気錠システムは、請求項１の電気錠システムにおいて、
前記表示部は、無給電状態でも前記操作内容の表示を保持するコレステリック液晶表示器からなることを特徴とする。
【発明の効果】
【００１０】
本発明に係る電気錠システムによれば、電磁誘導により非接触通信が行われる電気錠装置からの指令に基づいて最終的な操作内容（施錠操作、解錠操作）を電気錠の施錠又は解錠に連動して識別表示する表示器を非接触キーに備えた構成なので、電気的操作により電気錠を施錠又は解錠した場合でも、利用者が最終的な操作内容を確実に認識することができる。しかも、非接触キーを電気錠装置の通信可能領域に近接させることで非接触キーを起動させるので、非接触キーに電源部を装備する必要がなく薄型化が図れ、利用者が非接触キーを所持する際にかさばることもない。
【００１１】
また、表示部としてコレステリック液晶表示器を用い、非接触キーの操作内容（施錠操作、解錠操作）に応じてコレステリック液晶表示器のオン・オフ制御又は電圧レベル制御を行えば、利用者の最終的な操作内容を識別表示し、無給電状態でもその表示内容を保持することができる。
【図面の簡単な説明】
【００１２】
【図１】本発明に係る電気錠システムの概略構成を示すブロック図である。
【図２】本発明に係る電気錠システムの動作の一例を示すフローチャートである。
【図３】特許文献１に開示される施解錠確認装置の構成を示すブロック図である。
【発明を実施するための形態】
【００１３】
以下、本発明を実施するための形態について、添付した図面を参照しながら詳細に説明する。図１は本発明に係る電気錠システムの概略構成を示すブロック図、図２は同電気錠システムの動作の一例を示すフローチャートである。
【００１４】
本例の電気錠システム１は、例えば住戸玄関などの扉に採用され、図１に示すように、非接触キー２と電気錠装置３によって構築されるものであって、利用者が最終的な操作内容を非接触キー２上で容易に認識することができる構成となっている。
【００１５】
非接触キー２は、利用者が所持するもので、ＲＦＩＤ（Radio Frequency IDentification）を利用し、電気錠装置３との間の非接触通信による電源供給で起動するＩＣ（集積回路）が内蔵されたパッシブタグ（受動タグ）と表示器からなる。
【００１６】
すなわち、非接触キー２は、電池の内蔵を必要とせず、電気錠装置３からの非接触通信による電波をエネルギー源として動作するＲＦタグと表示器で構成され、電気錠装置３からの電波の一部をタグのアンテナで反射する際に、反射波に対し、電気錠装置３の電気錠３３の施錠又は解錠を指示するための認証情報（ＩＤ情報）を乗せて電気錠装置３に返している。
【００１７】
非接触キー２は、内部構成として、図１に示すように、認証情報記憶部２１、送受信部２２、制御部２３、表示部２４を有している。
【００１８】
認証情報記憶部２１は、電気錠装置３の電気錠３３の施錠又は解錠を指示するためのＩＤ情報を認証情報として記憶している。
【００１９】
送受信部２２は、非接触キー２を電気錠装置３の通信可能領域に近接させ、電気錠装置３との間の非接触通信による電源供給で非接触キー２が起動すると、電気錠装置３の送受信部３１との間で非接触通信により情報の送受信を行っている。
【００２０】
制御部２３は、非接触キー２の各部を統括制御するもので、表示制御手段２３ａを有している。
【００２１】
表示制御手段２３ａは、非接触キー２と電気錠装置３との間の非接触通信において、電気錠装置３の後述する表示指令制御手段３４ｃからの操作表示指令（施錠操作表示指令又は解錠操作表示指令）に基づいて表示部２４のオン・オフを制御又は電圧レベルを制御している。
【００２２】
表示部２４は、例えば液晶表示器で構成され、利用者が非接触キー２を用いて施錠操作又は解錠操作を行った際の最終的な操作内容を識別表示している。表示部２４は、電気錠装置３の後述する表示指令制御手段３４ｃからの操作表示指令（施錠操作表示指令又は解錠操作表示指令）に基づく制御部２３の表示制御手段２３ａによりオン・オフの制御又は電圧レベルの制御がなされる。
【００２３】
尚、表示部２４としては、特定の波長（光）のみを反射する性質のコレステリック液晶を用い、液晶分子のらせんの軸が縦向きか横向きで安定し、電圧を切っても半永久的に液晶分子の向きを維持するメモリ性の性質を有するコレステリック液晶表示器を採用するのが好ましい。
【００２４】
コレステリック液晶表示器を表示部２４として用いた場合は、電気錠装置３の後述する表示指令制御手段３４ｃからの操作表示指令（施錠操作表示指令又は解錠操作表示指令）に基づく表示制御手段２３ａにより、光吸収層上の各液晶層（赤色液晶層、緑色液晶層、青色液晶層）の前後の透明電極に印加される電圧レベルを制御し、液晶分子の向きを替えることで反射の有無を切り替えている。
【００２５】
ここで、非接触キー２による操作内容（施錠操作、解錠操作）を点灯・消灯により識別表示する場合は、後述する表示指令制御手段３４ｃから施錠操作表示指令が入力されると表示部２４をオンして点灯し、表示指令制御手段３４ｃから解錠操作表示指令が入力されると表示部２４をオフして消灯する。
【００２６】
また、非接触キー２による操作内容を色分けして識別表示する場合は、表示部２４としてコレステリック液晶表示器を用い、表示部２４の電圧レベルを制御することにより、後述する表示指令制御手段３４ｃから施錠操作表示指令が入力されると表示部２４を例えば赤色点灯し、表示指令制御手段３４ｃから解錠操作表示指令が入力されると表示部２４を例えば緑色点灯する。
【００２７】
そして、表示部２４にコレステリック液晶表示器を用い、表示制御手段２３ａによりコレステリック液晶表示器のオン・オフ制御又は電圧レベル制御を行えば、電気錠３３の施錠又は解錠に連動して利用者の最終的な操作内容を識別表示でき、電圧を切った無給電状態でもその表示内容を保持することができる。
【００２８】
図１に示すように、電気錠装置３は、送受信部３１、状態監視部３２、電気錠３３、制御部３４、電源部３５を備えている。
【００２９】
送受信部３１は、利用者が非接触キー２を電気錠装置３の通信可能領域に近接させたときに、非接触キー２の送受信部２２との間で非接触通信により情報の送受信を行っている。
【００３０】
状態監視部３２は、例えばマイクロスイッチやリードスイッチなどの各種検知センサで構成され、電気錠３３の施解錠状態及び扉の開閉状態を監視している。この状態監視部３２による監視結果は、状態信号（施錠・閉扉、解錠・閉扉、施錠・開扉、解錠・開扉）として制御部３４に逐次送出される。
【００３１】
電気錠３３は、例えば駆動制御手段３４ｂによりモーターやソレノイド等の駆動手段への通電を制御し、駆動手段に連結されるデッドボルトを扉枠の係合穴に対して進退させることで施錠又は解錠される周知の機構からなる。
【００３２】
尚、電気錠３３は、制御部３４の駆動制御手段３４ｂにより電気的に錠前の施錠や解錠が制御される構成であれば良く、その構造が限定されるものではない。
【００３３】
制御部３４は、電気錠装置３の各部を統括制御するもので、判別手段３４ａ、駆動制御手段３４ｂ、表示指令制御手段３４ｃを有している。
【００３４】
判別手段３４ａは、電気錠３３の施錠又は解錠を許可するための情報が照合用情報として予め登録されており、この照合用情報と送受信部３１が非接触キー２の送受信部２２から非接触通信により取得した認証情報とを照合し、認証情報の正当性、すなわち、認証情報が照合用情報と一致するか否かを判別している。
【００３５】
判別手段３４ａは、認証情報を正常認証すると、状態監視部３２からの状態信号に応じた指令信号（施錠指令信号又は解錠指令信号）を駆動制御手段３４ｂに出力している。すなわち、判別手段３４ａは、状態監視部３２からの状態信号が解錠・閉扉であれば、施錠指令信号を駆動制御手段３４ｂに出力する。これに対し、判別手段３４ａは、状態監視部３２からの状態信号が施錠・閉扉であれば、解錠指令信号を駆動制御手段３４ｂに出力する。
【００３６】
駆動制御手段３４ｂは、判別手段３４ａから施錠指令信号が入力されると、電気錠３３を施錠駆動している。具体的には、モーターやアクチュエータ等の駆動手段に通電し、駆動手段に連結されるデッドボルトを扉枠の係合穴に係合して施錠する。また、駆動制御手段３４ｂは、判別手段３４ａから解錠指令信号が入力されると、電気錠３３を解錠駆動している。具体的には、モーターやアクチュエータ等の駆動手段への通電を断ち、駆動手段に連結されるデッドボルトを扉枠の係合穴から後退させて解錠する。
【００３７】
表示指令制御手段３４ｃは、判別手段３４ａが施錠指令信号を駆動制御手段３４ｂに出力するときに、非接触キー２による施錠操作がなされた旨を非接触キー２の表示部２４に識別表示させるべく、施錠操作内容を示す施錠操作表示指令を送受信部３１に出力している。また、表示指令制御手段３４ｃは、判別手段３４ａが解錠指令信号を駆動制御手段３４ｂに出力するときに、非接触キー２による解錠操作がなされた旨を非接触キー２の表示部２４に識別表示させるべく、解錠操作内容を示す解錠操作表示指令を送受信部３１に出力している。
【００３８】
電源部３５は、建物の商用電源（例えばＡＣ１００Ｖ）が供給され、この商用電源を元に電気錠装置３の各部に必要な駆動電源を供給している。
【００３９】
次に、上記のように構成される電気錠システム１の動作として、非接触キー２を用いて電気錠３３を施錠する場合を例にとって図２を参照しながら簡単に説明する。
【００４０】
電気錠３３を施錠するべく非接触キー２を電気錠装置３の通信可能領域にかざして近接させると（ＳＴ１）、非接触キー２と電気錠装置３との間で電磁誘導による非接触通信が開始される（ＳＴ２）。そして、電気錠装置３の送受信部３１は、非接触キー２の送受信部２２との間の非接触通信により非接触キー２から認証情報を取得する（ＳＴ３）。
【００４１】
続いて、電気錠装置３における制御部３４の判別手段３４ａは、送受信部３１が取得した認証情報と予め登録された照合用情報とを照合し、認証情報の正当性を判別する（ＳＴ４）。判別手段３４ａは、認証情報を正常認証すると、駆動制御手段３４ｂに施錠指令信号を出力する（ＳＴ５）。そして、駆動制御手段３４ｂは、判別手段３４ａから施錠指示が入力されると、電気錠３３を施錠する（ＳＴ６）。
【００４２】
また、上記認証情報の照合判別処理と同時に、電気錠装置３における制御部３４の表示指令制御手段３４ｃは、判別手段３４ａが認証情報を正常認証して駆動制御手段３４ｂに施錠指令信号を出力すると、非接触キー２によって電気錠３３が施錠操作された旨の操作内容を表示部２４に識別表示するための施錠操作表示指令を送受信部３１から非接触キー２に送信させる（ＳＴ７）。
【００４３】
そして、非接触キー２の送受信部２２は、電気錠装置３の送受信部３１から施錠操作表示指令を受信して制御部２３の表示制御手段２３ａに送出する（ＳＴ８）。表示制御手段２３ａは、施錠操作表示指令が入力されると、電気錠３３への作動指示（施錠）と見なし、非接触キー２によって電気錠３３が施錠操作された旨を表示部２４に識別表示するべく、例えば表示部２４をオンして点灯制御する（ＳＴ９）。
【００４４】
尚、上述した処理動作は、非接触キー２によって電気錠３３が施錠操作される場合についての説明であるが、非接触キー２によって電気錠３３が解錠操作される場合は、非接触キー２によって電気錠３３が施錠される場合と識別できるように、例えば表示部２４をオフして消灯制御する。又は、表示部２４の電圧レベルを制御して表示部２４を色分けし、非接触キー２によって電気錠３３が施錠操作される場合と解錠操作される場合とを識別表示する。
【００４５】
このように、本発明に係る電気錠システム１では、電磁誘導による電気錠装置３の通信可能領域に非接触キー２を近接させると、電気錠装置３からの電磁誘導により非接触キー２が起動し、非接触キー２と電気錠装置３との間で非接触通信を行い、電気錠装置３からの指令に基づいて最終的な操作内容（施錠操作、解錠操作）を電気錠３３の施錠又は解錠に連動して識別表示する表示部２４を非接触キー２に備えた構成なので、電気的操作で電気錠（錠前）３３を施錠又は解錠した場合においても、利用者が自分の行った最終的な操作内容を非接触キー２の表示部２４上で確実に認識することができる。
【００４６】
また、非接触キー２は、電気錠装置３の通信可能領域に近接させた際に、電気錠装置３からの非接触通信による電波をエネルギー源として動作するＲＦダグで構成されるので、従来の特許文献１の鍵５２のような電源部を装備する必要がなく、薄型化を図ることができ、利用者が所持するの際にもかさばることがない。
【００４７】
さらに、表示部２４としてコレステリック液晶表示器を用い、非接触キー２の操作内容（施錠操作、解錠操作）に応じてコレステリック液晶表示器のオン・オフ制御又は電圧レベル制御を行えば、利用者の最終的な操作内容を識別表示し、無給電状態でもその表示内容を保持することができる。
【符号の説明】
【００４８】
１  電気錠システム
２  非接触キー
３  電気錠装置
２１  認証情報記憶部
２２  送受信部
２３  制御部
２３ａ  表示制御手段
２４  表示部
３１  送受信部
３２  状態監視部
３３  電気錠
３４  制御部
３４ａ  判別手段
３４ｂ  駆動制御手段
３４ｃ  電源制御手段
３５  電源部
【図１】
2012087496.tif 000003
【図２】
2012087496.tif 000004
【図３】
2012087496.tif 000005